(57)【特許請求の範囲】
【請求項１】
奥屋根に回動自在に取り付けられた鍵盤蓋の開閉を制御するための装置であって、
奥屋根に取り付けられた緩衝器とこの緩衝器および鍵盤蓋を相互に連結するリンク機構を備え、該リンク機構を介して鍵盤蓋を開閉する際、前記リンク機構の可動部分が露出しないようにするカバー手段が付設され、
前記カバー手段は、前記鍵盤蓋側のリンク結合部に配設されたカバー部材と、このカバー部材が嵌入し得るように配設されたさや状部材を含み、前記鍵盤蓋の全開時に前記カバー部材の下端部が前記さや状部材内に入ったままであることを特徴とする鍵盤蓋の開閉制御装置。
【請求項２】
前記さや状部材は、鍵盤押さえの適所、拍子木の上かつ前記鍵盤蓋の下、あるいは腕木の内側側面部に配置されることを特徴とする請求項１に記載の鍵盤蓋の開閉制御装置。
【請求項３】
奥屋根に回動自在に取り付けられた鍵盤蓋の開閉を制御するための装置であって、
奥屋根に取り付けられた緩衝器とこの緩衝器および鍵盤蓋を相互に連結するリンク機構を備え、該リンク機構を介して鍵盤蓋を開閉する際、前記リンク機構の可動部分が露出しないようにするカバー手段が付設され、
前記カバー手段は、前記鍵盤蓋に結合するリンク部材と一体的に構成されたカバー部材と、このカバー部材が嵌入し得るように配設されたさや状部材を含み、前記鍵盤蓋の全開時に前記カバー部材の下端部が前記さや状部材内に入ったままであることを特徴とする鍵盤蓋の開閉制御装置。
【請求項４】
前記カバー部材は、前記鍵盤蓋側面部に取り付けられることを特徴とする請求項３に記載の鍵盤蓋の開閉制御装置。
【発明の詳細な説明】
【０００１】
【発明の属する技術分野】
本発明は、アップライトピアノ等における回動式の鍵盤蓋の開閉を制御する鍵盤蓋の開閉制御装置に関する。
【０００２】
【従来の技術】
この種の鍵盤蓋は、後端部が蝶番を介して奥屋根に回動自在に連結され、この蝶番を中心に開閉されるようになっている。そして、特に鍵盤蓋が閉じる際の安全性を確保するために、鍵盤蓋の閉じ方向に緩衝作用を備えたダンパ機構を備えたものが知られている。
【０００３】
さらに、鍵盤蓋の着脱性を向上させるものとして、本出願人はすでに、特開平９−２８１９５７号公報に開示されるように鍵盤蓋の安定した開閉作動と着脱の容易化を図った鍵盤蓋の開閉制御装置を提案している。
【０００４】
【発明が解決しようとする課題】
上述の公報の開閉制御装置においては、鍵盤蓋を開いた際リンク機構の一部、特にその可動部分が露出することがある。そのため安定作動等に加えて、そのような露出部分により外観が損なわれるのを防止する装置が要望されていた。
【０００５】
本発明はかかる実情に鑑み、優れた外観構成を備えるとともに鍵盤蓋の安定作動を保証する鍵盤蓋の開閉制御装置を提供することを目的とする。
【０００６】
【課題を解決するための手段】
本発明の鍵盤蓋の開閉制御装置は、奥屋根に回動自在に取り付けられた鍵盤蓋の開閉を制御するための装置であって、奥屋根に取り付けられた緩衝器とこの緩衝器および鍵盤蓋を相互に連結するリンク機構を備え、該リンク機構を介して鍵盤蓋を開閉する際、前記リンク機構の可動部分が露出しないようにするカバー手段が付設され、前記カバー手段は、前記鍵盤蓋側のリンク結合部に配設されたカバー部材と、このカバー部材が嵌入し得るように配設されたさや状部材を含み、前記鍵盤蓋の全開時に前記カバー部材の下端部が前記さや状部材内に入ったままであることを特徴とする。
【０００７】
また、本発明の鍵盤蓋の開閉制御装置において、前記さや状部材は、鍵盤押さえの適所、拍子木の上かつ前記鍵盤蓋の下、あるいは腕木の内側側面部に配置されることを特徴とする。
【０００８】
また、本発明の鍵盤蓋の開閉制御装置は、奥屋根に回動自在に取り付けられた鍵盤蓋の開閉を制御するための装置であって、奥屋根に取り付けられた緩衝器とこの緩衝器および鍵盤蓋を相互に連結するリンク機構を備え、該リンク機構を介して鍵盤蓋を開閉する際、前記リンク機構の可動部分が露出しないようにするカバー手段が付設され、前記カバー手段は、前記鍵盤蓋に結合するリンク部材と一体的に構成されたカバー部材と、このカバー部材が嵌入し得るように配設されたさや状部材を含み、前記鍵盤蓋の全開時に前記カバー部材の下端部が前記さや状部材内に入ったままであることを特徴とする。
【０００９】
また、本発明の鍵盤蓋の開閉制御装置において、前記カバー部材は、前記鍵盤蓋側面部に取り付けられることを特徴とする。
【００１１】
本発明によれば、奥屋根に取り付けられた緩衝器と鍵盤蓋がリンク機構を介して相互に連結され、鍵盤蓋の安定した開閉作動を保証することができる。さらにリンク機構の可動部分は、鍵盤蓋を開いたときカバーによって露出しないように覆われ、これにより優れた外観構成を実現することができる。
【００１２】
【発明の実施の形態】
以下、図面に基づき、本発明による鍵盤蓋の開閉制御装置の好適な実施の形態を説明する。
図１は、この実施形態における開閉制御装置の要部構成を示している。図において、鍵盤蓋１は、奥屋根３の前端部に蝶板２を介して回動自在に取り付けられており、図１に示す開位置と図４に示す閉位置の間で回動することにより開閉するようになっている。
【００１３】
奥屋根３は、その上に立設される上前板４と同様に、図示しないピアノ本体に対して着脱自在に構成されている。奥屋根３の下面後端部には奥屋根付木５が取り付けられ、腕木（図示せず）から内方に突出する３つの奥屋根受け６間に奥屋根付木５が上方から嵌合される。なお、図中、７は棚板、８は拍子木、９は棚板７の前面に取り付けられた口棒である。
【００１４】
開閉制御装置１０は、鍵盤蓋１の閉位置への回動を制動するための緩衝器１１と、この緩衝器１１の制動力を鍵盤蓋１に伝達するためのリンク機構１２とを含んでいる。
【００１５】
緩衝器１１は、オイルが充填されたケーシング１３と、ケーシング１３に回動自在に嵌合する軸部１４とを有するワンウェイトルク式の油圧ダンパで構成される。ケーシング１３の部分が、奥屋根３の下面の一方の側部に取付部材１５を介して、ねじ止めされている。また、軸部１４にはその中心から径方向に延びるようにアーム１６が一体に設けられている。リンク機構１２は、互いに回動自在に連結された２本のリンクバー１２ａ，１２ｂで構成される。リンクバー１２ａは鍵盤蓋１の裏面下端部にねじ止めされ、リンクバー１２ｂはアーム１６に回動自在に連結されている。なお、奥屋根３の下面には、リンクバー１２ａ，１２ｂが干渉しないように逃がすための切欠き１７が形成されている。
【００１６】
本発明装置において、リンク機構１２を介して鍵盤蓋１を開閉する際、リンク機構１２の可動部分が露出しないようにするカバー手段２０が付設されている。この実施形態では、カバー手段２０は、鍵盤蓋１側のリンク結合部（リンクバー１２ａのねじ止め部付近）に配設されたカバー部材２１と、このカバー部材２１が嵌入し得るように配設されたさや状部材２２を含む。さや状部材２２は、後述するように鍵盤押さえ１８の適所、拍子木の上かつ鍵盤蓋の下、あるいは腕木の内側側面部に配置される。
【００１７】
カバー部材２１は、たとえば薄金属板あるいはプラスチック材料で半円もしくは半月状に形成される。強度を確保するために図１では紙面垂直方向に一定の幅もしくは厚さ（１０ｍｍ程度）を持たせてある。図示のようにリンクバー１２ａの前方から被さるように鍵盤蓋１に固定される。
【００１８】
さや状部材２２は、拍子木８の上部、実際には拍子木８および奥屋根３間に配置された鍵盤押さえ１８に設けられる。この場合、図２に示されるように鍵盤押さえ１８と一体化したかたちで構成するのが好ましい。さや状部材２２はカバー部材２１の対応位置に配設され、カバー部材２１が口部２２ａからその内部に入り込むように成形されている。さや状部材２２の形成材料としては、量産性等の点ではプラスチック材料が適当であるが、薄金属板等であってもよい。
【００１９】
図１および図３は、鍵盤蓋１が最大に開いた状態を示しているが、このときカバー部材２１がさや状部材２２から出切ってしまわないように、つまりカバー部材２１の下端部が適度にさや状部材２２内に入ったままになるようにしている。また、図４は、鍵盤蓋１が閉じた状態を示しているが、このときにはカバー部材２１がさや状部材２２と干渉しないように形状および寸法設定されている。
【００２０】
上記のようにカバー手段２０を設けることで、鍵盤蓋１の開閉時にリンク機構１２の可動部分、すなわちリンクバー１２ａ，１２ｂを露出しないように覆い、これにより優れた外観構成を実現することができる。また、鍵盤蓋１の下側にリンク機構１２との間の小空間もしくは隙間が生じるが、このような空間で指等が挟まれ、あるいは挟まれそうになる不安感を完全に払拭することができ、使用上極めて優れた安全性を保証する。
【００２１】
つぎに、本発明による鍵盤蓋の開閉制御装置における第２の実施形態を説明する。なお、第１の実施形態の場合と実質的に同一部材には同一符号を用いるものとする。
【００２２】
図５は、第２の実施形態における開閉制御装置の要部構成を示している。この例のカバー手段３０は、鍵盤蓋１に結合するリンク部材と一体的に構成されたカバー部材３１と、このカバー部材３１が嵌入し得るように配設されたさや状部材３２を含む。この場合、鍵盤蓋１の外側面にカバー部材３１を取り付けるための凹部１ａが形成され、この凹部１ａにねじ３３によってカバー部材３１を固定する構成となっている。
【００２３】
図６は、第２の実施形態に係るカバー部材３１の構成例を示している。カバー部材３１は、アーム１６に回動自在に連結するリンクバー１２ｂと連結し、鍵盤蓋１と緩衝器１１を連結するリンク機構を兼ねている。カバー部材３１は一定の幅を有し、リンクバー１２ｂと干渉しないようにするための切欠きあるいは逃げ穴３１ａが形成されている。さや状部材３２は、鍵盤押さえ１８と一体化するかたちでカバー部材３１の対応位置に配設され、内部にカバー部材３１が入り込むように成形されている。
【００２４】
この第２の実施形態においても、鍵盤蓋１の開閉時にリンク機構１２の可動部分を露出しないように覆うことにより、優れた外観構成を実現するとともに安全性を確保することができる。特に、カバー部材３１がリンク機構の一部を構成することにより、有効に部品点数を減少することができる。また、カバー部材３１を鍵盤蓋１の外側面に取り付けることにより、鍵盤蓋１の下側の小空間もしくは隙間をさらに小さくすることが可能になる。この場合、リンク機構をできるだけ蝶板２の軸心に近づけて配置構成することで、かかる空間を有効に縮小あるいは埋めることができる。
【００２５】
なお、そのような空間を最も小さくするための有効な方法としては、たとえば図８に示すようにリンク機構（カバー部材３１′）を鍵盤蓋１の表面と同一面に配置し、蝶板２の軸心に付ける方法が好ましい。この場合には鍵盤蓋１を閉じたとき、リンク機構が奥屋根３の表面に達してしまうので奥屋根３の表面に簡易なカバー３３を取り付けるとよい。
【００２６】
【発明の効果】
以上説明したように本発明によれば、この種の鍵盤蓋の開閉機構においてリンク機構の可動部分を露出しないように覆うことで、優れた外観構成と高い安全性を実現することができる。この場合構造も比較的簡単であるため、実質的にコスト低減を図ることができる等の利点を有している。
【図面の簡単な説明】
【図１】本発明による鍵盤蓋の開閉制御装置の第１の実施の形態における要部構成を示す図である。
【図２】本発明による鍵盤蓋の開閉制御装置に係るさや状部材の例を示す部分斜視図である。
【図３】本発明による鍵盤蓋の開閉制御装置におけるカバー手段を示す図である。
【図４】本発明による鍵盤蓋の開閉制御装置の第１の実施の形態における鍵盤蓋が閉じた状態を示す図である。
【図５】本発明による鍵盤蓋の開閉制御装置の第２の実施の形態における要部構成を示す図である。
【図６】本発明による鍵盤蓋の開閉制御装置の第２の実施の形態におけるカバー部材を示す図である。
【図７】本発明による鍵盤蓋の開閉制御装置の第２の実施の形態における鍵盤蓋が閉じた状態を示す図である。
【図８】本発明による鍵盤蓋の開閉制御装置の第２の実施の形態の変形例を示す図である。
【符号の説明】
１    鍵盤蓋
２    蝶板
３    奥屋根
４    上前板
５    奥屋根付木
７    棚板
８    拍子木
１０    開閉制御装置
１１    緩衝器
１２    リンク機構
１２ａ，１２ｂ    リンクバー
１３    ケーシング
１４    軸部
１６    アーム
２０，３０    カバー手段
２１，３１    カバー部材
２２，３２    さや状部材
【図１】
0003642968.tif 000002
【図２】
0003642968.tif 000003
【図３】
0003642968.tif 000004
【図４】
0003642968.tif 000005
【図５】
0003642968.tif 000006
【図６】
0003642968.tif 000007
【図７】
0003642968.tif 000008
【図８】
0003642968.tif 000009